(57)【要約】【課題】情報管理に係るユーザの負担を軽減するとともに、セキュリティを確保することのできる情報管理方法およびデジタルカメラを提供すること。【解決手段】画像情報を取得する撮影部１１と、撮影者が所持する所持品に内蔵された無線ＩＣタグの識別情報を読み取るＩＤ読取部１２と、読み取られた識別情報と画像情報とを関連づけて記録する記憶部１５と、画像情報を表示する表示部１３と、制御部１６とを備え、画像情報の表示要求時において、制御部１６が、ＩＤ読取部１２により読み取られた識別情報と、該表示要求の対象とされる画像情報に関連付けられている識別情報とが一致した場合に、該画像情報を前記表示部１３に表示させるデジタルカメラ１を提供する。【選択図】図１
2008084107.tif 000002
【特許請求の範囲】
【請求項１】
情報作成時において、情報作成者が所持する所持品に内蔵された無線ＩＣタグの識別情報を読み取り、読み取られた識別情報と関連づけて作成した情報を記録し、
読出要求時において、情報の読み出しを所望する者の所持品に内蔵された無線ＩＣタグの識別情報を読み取り、読み取られた識別情報と、読出要求の対象となる情報に関連付けられている識別情報とが一致した場合に、当該情報の読み出しを許可する情報管理方法。
【請求項２】
複数の前記識別情報に関連づけて情報を記録し、
前記読出要求の対象となる情報に関連付けられているいずれかの識別情報と、該無線ＩＣタグから読み出されたいずれかの識別情報とが一致した場合に、該情報の読出しを許可する請求項１に記載の情報管理方法。
【請求項３】
複数の前記識別情報に関連づけて情報を記録し、
前記読出要求の対象となる情報に関連付けられている識別情報と、該無線ＩＣタグから読み出された識別情報とが完全に一致した場合に、該情報の読み出しを許可する請求項１に記載の情報管理方法。
【請求項４】
複数の前記識別情報に関連づけて情報を記録し、
前記識別情報の全てが一致した場合に、読出要求の対象となる情報の読み出しを許可するか、または、いずれかの識別情報が一致した場合に該情報の読み出しを許可するかを選択可能とし、選択された許可条件に従って情報の読み出しを行う請求項１に記載の情報管理方法。
【請求項５】
前記所持品に内蔵された無線ＩＣタグの識別情報が読み取られた場合、読み取られた該識別情報によって読み出し可能な情報を特定し、特定した情報のリストを表示する請求項１から請求項４のいずれかに記載の情報管理方法。
【請求項６】
画像情報を取得する撮影手段と、
撮影者が所持する所持品に内蔵された無線ＩＣタグの識別情報を読み取るＩＤ読取手段と、
読み取られた識別情報と画像情報とを関連づけて記録する記録手段と、
表示手段と、
制御手段と
を備え、
画像情報の表示要求時において、制御手段は、ＩＤ読取手段により読み取られた識別情報と該表示要求の対象となる画像情報に関連付けられている識別情報とが一致した場合に、該画像情報を前記表示手段に表示させるデジタルカメラ。
【請求項７】
前記記録手段が、複数の識別情報に関連づけて画像情報を記録可能であり、
前記制御手段は、表示要求の対象となる画像情報に関連付けられているいずれかの識別情報と、前記ＩＤ読取手段により読み取られたいずれかの識別情報とが一致した場合に、該画像情報を表示手段に表示させる請求項６に記載のデジタルカメラ。
【請求項８】
前記記録手段が、複数の識別情報に関連づけて画像情報を記録可能であり、
前記制御手段は、表示要求の対象となる画像情報に関連付けられている識別情報と、前記ＩＤ読取手段により読み取られた識別情報とが完全に一致した場合に、該画像情報を表示手段に表示させる請求項６に記載のデジタルカメラ。
【請求項９】
前記記録手段が、複数の識別情報に関連づけて画像情報を記録可能であり、
前記表示要求があった場合に、識別情報が完全に一致した場合にのみ画像を表示させるか、または、いずれかの識別情報が一致した場合に該画像を表示させるかを選択するための選択手段を備え、
前記制御手段は、前記選択手段により選択された選択条件に従って、表示要求があった画像を前記表示手段に表示させる請求項６に記載のデジタルカメラ。
【請求項１０】
表示要求時において、前記制御手段が、前記ＩＤ読取手段により読み取られた識別情報に基づいて表示可能な画像情報を前記記録手段から特定し、特定した画像情報のリストを前記表示手段に表示させる請求項６から請求項９のいずれかに記載のデジタルカメラ。
【発明の詳細な説明】
【技術分野】
【０００１】
本発明は、セキュリティと利便性とを考慮した情報管理が可能な情報管理方法およびデジタルカメラに関するものである。
【背景技術】
【０００２】
従来、デジタルカメラの撮影画像の管理として、例えば、撮影日時毎にフォルダを作成し、分類すること等が知られている（例えば、特許文献１参照）。
特許文献１には、撮影画像をその画像が取得された位置情報や時刻情報と関連付けて管理し、位置情報と時刻情報との２つが検索キーとして入力された場合に、これらの情報を有する画像データを読み出して表示することが記載されている。
【特許文献１】特開２００１−２８２８１３公報
【発明の開示】
【発明が解決しようとする課題】
【０００３】
しかしながら、上述したような従来のデジタルカメラでは、画像の検索を行う際に、ユーザは検索キーを２つも入力しなければならず、作業が煩わしいという不都合がある。また、セキュリティについては全く考慮されていないため、他人にも容易に画像を見られてしまうという問題があった。
【０００４】
本発明は、上記問題を解決するためになされたもので、情報管理に係るユーザの負担を軽減するとともに、セキュリティを確保することのできる情報管理方法およびデジタルカメラを提供することを目的とする。
【課題を解決するための手段】
【０００５】
上記課題を解決するために、本発明は以下の手段を採用する。
本発明は、情報作成時において、情報作成者が所持する所持品に内蔵された無線ＩＣタグの識別情報を読み取り、読み取られた識別情報と関連づけて作成した情報を記録し、
読出要求時において、情報の読み出しを所望する者の所持品に内蔵された無線ＩＣタグの識別情報を読み取り、読み取られた識別情報と、読出要求の対象となる情報に関連付けられている識別情報とが一致した場合に、当該情報の読み出しを許可する情報管理方法を提供する。
【０００６】
このような方法によれば、情報作成時には情報作成者が所持する所持品に内蔵された無線ＩＣタグの識別情報が読み取られ、この識別情報と作成した情報とが関連付けられて記録される。また、情報の読み出し要求が出された場合には、読み出しを所望する者の所持品に内蔵された無線ＩＣタグの識別情報が読み取られ、この識別情報と、読出要求が出された情報の識別情報とが一致した場合に当該情報の読み出しが許可される。
これにより、情報の読み出しが許可される者を自動的に限定することが可能となるので、例えば、複数のユーザが一つの機器を共有して利用している場合には、一のユーザが作成した情報は、一のユーザのみが読み出すことができ、他の者に情報が読み出されるのを阻止することができる。したがって、セキュリティを確保することができる。更に、情報作成時には、所有者の所持品に関する識別情報が自動的に作成情報に関連付けられて記録されるので、識別情報ごとに情報を分類して管理することが可能となる。
上記情報としては、例えば、文書データ、画像データ、音声データ等が一例として挙げられる。
【０００７】
上記情報管理方法において、複数の前記識別情報に関連づけて情報を記録し、前記読出要求の対象となる情報に関連付けられているいずれかの識別情報と、該無線ＩＣタグから読み出されたいずれかの識別情報とが一致した場合に、該情報の読出しを許可することとしてもよい。
【０００８】
このような方法によれば、所持品が複数あり、その所持品の組み合わせが日によって異なる場合であっても、情報の記録時と同じ所持品を一つでも所持していれば、情報の読み出しが可能となる。これにより、情報読み出しの自由度を高めることができる。
【０００９】
上記情報管理方法において、複数の前記識別情報に関連づけて情報を記録し、前記読出要求の対象となる情報に関連付けられている識別情報と、該無線ＩＣタグから読み出された識別情報とが完全に一致した場合に、該情報の読み出しを許可することとしてもよい。
【００１０】
このような方法によれば、情報記録時において所持していた所持品と同一の所持品を所持している場合でなければ、情報の読み出しが許可されないので、高いセキュリティを確保することができる。
【００１１】
上記情報管理方法において、複数の前記識別情報に関連づけて情報を記録し、前記識別情報が完全に一致した場合に、読出要求の対象となる情報の読み出しを許可するか、または、いずれかの識別情報が一致した場合に該情報の読み出しを許可するかを選択可能とし、選択された許可条件に従って情報の読み出しを行うこととしてもよい。
【００１２】
このような方法によれば、複数の識別情報と関連付けて情報が記録される場合に、複数の識別情報のうちのいずれかが一致した場合に該情報の読み出しを許可するのか、または、該識別情報が完全に一致した場合に該情報の読み出しを許可するのかをユーザが決めることが可能となる。これにより、ユーザは、セキュリティレベルと読み出しの自由度とを考慮して、適切な条件を設定することができる。
【００１３】
上記情報管理方法において、前記所持品に内蔵された無線ＩＣタグの識別情報が読み取られた場合、読み取られた該識別情報によって読み出し可能な情報を特定し、特定した情報のリストを表示することとしてもよい。
【００１４】
このように、所持品に内蔵された無線ＩＣタグの識別情報が読み取られた場合には、この識別情報によって読み出し可能な情報のリストが表示されるので、ユーザはこのリストを確認することにより読み出し可能な情報を容易に把握することができる。
【００１５】
本発明は、画像情報を取得する撮影手段と、撮影者が所持する所持品に内蔵された無線ＩＣタグの識別情報を読み取るＩＤ読取手段と、読み取られた識別情報と画像情報とを関連づけて記録する記録手段と、表示手段と、制御手段とを備え、画像情報の表示要求時において、制御手段は、ＩＤ読取手段により読み取られた識別情報と、該表示要求の対象となる画像情報に関連付けられている識別情報とが一致した場合に、該画像情報を前記表示手段に表示させるデジタルカメラを提供する。
【００１６】
このような構成によれば、撮影手段により取得された画像情報は、撮影者が所持する所持品に内蔵された無線ＩＣタグの識別情報と関連付けられて記録手段に記録されることとなる。また、画像の表示要求時においては、表示要求を出したユーザの所持品に内蔵された無線ＩＣタグの識別情報が読み取られ、この識別情報と、表示要求の対象となる画像情報に関連付けられている識別情報とが一致した場合に、当該画像情報が表示手段に表示される。これにより、画像を表示させることができる者を、その撮影時に周辺にいた者に限定することができるので、セキュリティを確保することができる。更に、画像情報の登録時には、その場にいたユーザの所持品に内蔵されている無線ＩＣタグの識別情報が自動的に関連付けられて記憶されるので、画像情報を容易に分類することができる。
【００１７】
上記デジタルカメラにおいて、前記記録手段が、複数の識別情報に関連づけて画像情報を記録可能であり、前記制御手段は、表示要求の対象となる画像情報に関連付けられているいずれかの識別情報と、前記ＩＤ読取手段により読み取られたいずれかの識別情報とが一致した場合に、該画像情報を表示手段に表示させることとしてもよい。
【００１８】
このような構成によれば、所持品が複数あり、その所持品の組み合わせが日によって異なる場合であっても、画像情報の記録時と同じ所持品を一つでも所持していれば画像情報を確認することができるので、表示要求時における自由度を高めることができる。
【００１９】
上記デジタルカメラにおいて、前記記録手段が、複数の識別情報に関連づけて画像情報を記録可能であり、前記制御手段は、表示要求の対象となる画像情報に関連付けられている識別情報と、前記ＩＤ読取手段により読み取られた識別情報とが完全に一致した場合に、該画像情報を表示手段に表示させることとしてもよい。
【００２０】
このような構成によれば、画像情報に関連付けられている複数の識別情報と、表示要求時においてＩＤ読取手段により読み取られた識別情報とが完全に一致している場合にしか当該画像情報が表示されないので、セキュリティレベルを高めることができる。
【００２１】
上記デジタルカメラにおいて、前記記録手段が、複数の識別情報に関連づけて画像情報を記録可能であり、前記表示要求があった場合に、識別情報が完全に一致した場合にのみ画像を表示させるか、または、いずれかの識別情報が一致した場合に該画像を表示させるかを選択するための選択手段を備え、前記制御手段は、前記選択手段により選択された選択条件に従って、表示要求があった画像を前記表示手段に表示させることとしてもよい。
【００２２】
このような構成によれば、複数の識別情報と関連付けて画像情報が記録される場合に、そのうちのいずれかの識別情報が一致した場合に該画像情報を表示するのか、または、該識別情報が全て一致した場合に該画像情報を表示するのかをユーザが決めることが可能となる。これにより、ユーザは、セキュリティのレベルと読み出しの自由度とを考慮して、適切な条件を設定することができる。
【００２３】
上記デジタルカメラにおいて、表示要求があった場合に、前記制御手段が、前記ＩＤ読取手段により読み取られた識別情報に基づいて表示可能な画像情報を前記記録手段から特定し、特定した画像情報のリストを前記表示手段に表示させることとしてもよい。
【００２４】
表示要求があった場合に、前記ＩＤ読取手段により読み取られた識別情報によって表示可能な画像情報が特定され、特定された画像情報のリストが表示手段に表示されるので、ユーザはこのリストを確認することにより、表示可能な画像情報を容易に把握することができる。
上記の各種態様は、可能な範囲で組み合わせて利用することができるものである。
【発明の効果】
【００２５】
本発明によれば、情報管理に係るユーザの負担を軽減することができるとともに、セキュリティを確保することができるという効果を奏する。
【発明を実施するための最良の形態】
【００２６】
以下に、本発明に係る情報管理方法をデジタルカメラに適用した場合における一実施形態について、図面を参照して説明する。
〔デジタルカメラ〕
図１は、本発明の一実施形態に係るデジタルカメラ１の概略構成を示したブロック図である。図１に示すように、デジタルカメラ１は、撮影部（撮影手段）１１、ＩＤ読取部（ＩＤ読取手段）１２、表示部（表示手段）１３、入力部１４、記憶部（記録手段）１５、制御部（制御手段）１６を主な構成要素として備えている。これらの各部は、バス１８を介して相互に接続されており、相互間における情報の授受が可能な構成とされている。
【００２７】
撮影部１１は、被写体を撮影し、画像データを作成するための構成を備え、作成した画像データを後述の制御部１６に出力する。例えば、撮影部１１は、光学レンズ、ＣＣＤカメラ、画像処理回路等、公知のデジタルカメラの撮影部が備える構成と略同様の構成を備えている。
ＩＤ読取部１２は、例えば、ＩＣタグリーダであり、撮影者など、撮影の際に近傍にいた者が所持する所持品に内蔵された無線ＩＣタグから識別情報を読み取り、読み取った識別情報を後述の制御部１６に出力する。
表示部１３は、例えば、液晶ディスプレイである。
入力部１４は、ボタンやダイヤルなど、ユーザが指示を入力するための手段であり、マンマシンインターフェースとして機能する。
記憶部１５は、撮影部１１により取得された画像データ等を記憶する。なお、この記憶部１５に記憶される情報の詳細については後述する。
制御部１６は、上述した各部を統括して制御する。
【００２８】
次に、上述したような構成を有するデジタルカメラ１の作用について説明する。
なお、前提として、ユーザが所持する所持品には、その所持品の識別情報が記録された無線ＩＣタグが内蔵されている。所持品としては、例えば、指輪、ネックレス、時計等のアクセサリー類や、ネクタイ、シャツ、ズボンなどの衣服などが挙げられる。これらの所持品のうち、少なくとも１つに上記無線ＩＣタグが内蔵されていればよい。
【００２９】
〔画像登録処理〕
まず、ユーザによりデジタルカメラ１の入力部１４が備えるシャッタが押下されると（図２のステップＳＡ１）、撮影部１１により被写体が撮影され、画像データが作成される。撮影部１１により作成された画像データは、制御部１６に出力される（ステップＳＡ２）。
また、上記画像データの作成と並行して、ＩＤ読取部１２により、ユーザの所持品に内蔵される無線ＩＣタグから識別情報が読み取られ、読み取られた識別情報が制御部１６に出力される（ステップＳＡ３）。ここで、ユーザが所持する複数の所持品に無線ＩＣタグがそれぞれ内蔵されていることにより、ＩＤ読取部１２によって複数の識別情報が読み取られた場合には、読み取られた全ての識別情報が制御部１６に出力される。
制御部１６は、画像データと識別情報とが入力されると、これらを互いに関連付けて記憶部１５に格納する（ステップＳＡ４）。
【００３０】
上記画像登録処理が写真撮影の度に行われることにより、記憶部１５には、図３に示すように、画像データと識別情報とが関連付けられた複数のデータが蓄積されることとなる。
【００３１】
〔画像表示処理〕
ユーザにより入力部１４が操作されることにより、所定の画像が指定され、その画像の表示要求が出されると、表示要求が入力部１４から制御部１６に出力される（図４のステップＳＢ１）。制御部１６は、表示要求が入力されると、ＩＤ読取部１２を作動させる。
これにより、ＩＤ読取部１２により、ユーザの所持品に内蔵される無線ＩＣタグから識別情報が読み取られ、読み取られた識別情報が制御部１６に出力される（ステップＳＢ２）。制御部１６は、識別情報が入力されると、記憶部１５において、表示要求の対象となる画像データに関連付けられているいずれかの識別情報と、ＩＤ読取部１２により読み取られた識別情報とが一致するかを判断する（ステップＳＢ３）。この結果、いずれかの識別情報が一致した場合には、表示要求が出された画像データを記憶部１５から読出し、表示部１３に表示させる（ステップＳＢ４）。一方、一致する識別情報が一つもなかった場合には、制御部１６は表示を拒否する旨の表示を表示部１３に表示させる（ステップＳＢ５）。
【００３２】
以上説明してきたように、本実施形態に係るデジタルカメラ１によれば、撮影部１１により取得された画像情報は、ユーザが所持する所持品に内蔵された無線ＩＣタグの識別情報と関連付けられて記憶部１５に記憶され、また、画像の表示要求時においては、表示要求を出したユーザの所持品に内蔵された無線ＩＣタグの識別情報が読み取られ、この識別情報と、表示要求の対象となる画像情報に関連付けられている識別情報とが一致した場合に、当該画像情報が表示部１３に表示されることとなる。
これにより、画像を表示させることができる者を、その撮影時に周辺にいた者に限定することができるので、セキュリティレベルを高めることができる。更に、画像情報の登録時には、その場にいたユーザの所持品に内蔵されている無線ＩＣタグの識別情報が自動的に関連付けられて記憶部１５に記憶されるので、画像情報を容易に分類することができる。
更に、画像情報に対して複数の識別情報が関連付けられていた場合には、そのうちのいずれかが一致すれば、画像情報が表示部１４に表示されるので、表示要求時における自由度を高めることができる。
【００３３】
なお、上記撮影時において、複数のユーザがいる中でデジタルカメラ１が操作された場合には、複数のユーザがそれぞれ所持する所持品に内蔵される無線ＩＣタグの識別情報がＩＤ読取部１２により読み取られ、これら複数の識別情報が当該画像データに関連付けられて記憶部１４に記憶されることとなる。また、画像の表示要求時においても、複数のユーザがいる中でデジタルカメラ１が操作された場合には、いずれかのユーザの所持品に係る識別情報と、表示要求の対象とされる画像データに関連付けられている識別情報とが一致すれば、その画像データが表示部１３に表示されることとなる。
【００３４】
また、上述したデジタルカメラ１によれば、以下のような利用形態が可能である。
例えば、友人と一緒に旅行に行き、旅行先で写真撮影をした場合、撮影部１１により作成された画像データには、友人の所持品に内蔵されている無線ＩＣタグの識別情報と自己の所持品に内蔵されている無線ＩＣタグの識別情報とが関連付けられて記憶部１５に格納されることとなる。これにより、旅行のときに携帯していた所持品と旅行先での画像データとをリンクさせることができる。
そして、旅行から帰ってきた後に、旅行のときに所持していた所持品を身に着けてデジタルカメラ１を操作することにより、旅行先での状況をより鮮明に思い出しながら旅行先での画像を見ることが可能となる。
【００３５】
なお、本実施形態においては、ユーザによって画像の表示要求が入力された場合に、ＩＤ読取部１２によって読み取られたいずれかの識別情報と、表示要求がなされた画像データに関連付けられているいずれかの識別情報とが一致した場合に、当該画像データを表示部１３に表示させることとしたが、これに代えて、両者の識別情報が完全に一致した場合にのみ、当該画像を表示部１３に表示させることとしてもよい。このように、識別情報が完全に一致した場合にのみ画像を表示させることによって、セキュリティレベルを高めることができる。
【００３６】
また、本実施形態に係るデジタルカメラ１は、画像情報の登録時において、当該画像情報の読み出しを行う場合に、関連付けられている識別情報が一つでも一致すれば表示を許可するのか（以下「一部一致の条件」という）、或いは、関連付けられている識別情報が完全に一致したら表示を許可するのか（以下「完全一致の条件」という。）をユーザに対して選択させる選択部（選択手段：図示略）を更に備えていてもよい。
このような選択部を備えていることにより、ユーザは、セキュリティレベルと読み出しの自由度とを考慮して、適切な条件を設定することができる。この結果、画像情報の秘匿性が高い場合には、完全一致の条件を設定することにより、当該画像情報に関連付けられている識別情報と、表示要求時においてＩＤ読取部１２によって読み取られる識別情報とが完全に一致していないと画像情報を表示させないようにすることができる。
また、秘匿性が高くない場合には、一部一致の条件を設定することにより、いずれかの識別情報が該当すれば、画像情報を表示させることができる。
【００３７】
また、ユーザから表示要求が入力された場合に、ＩＤ読取部１２を作動させることにより、ユーザの所持品に内蔵される無線ＩＣタグから識別情報を読み取り、この読み取った識別情報に関連付けられている画像情報を全て抽出し、抽出した画像情報のリストを表示部１３に表示することとしてもよい。
このように、当該識別情報に関連付けられている画像情報のリストを表示部１３に表示させることにより、ユーザは表示可能な画像情報を容易に把握することができる。
【００３８】
〔ラップトップパソコン〕
次に、本発明の情報管理方法をラップトップパソコン（以下「パソコン」という。）に適用した場合の一実施形態について説明する。
【００３９】
図４に、本実施形態に係るパソコンの概略構成を示す。
図４に示すように、本実施形態に係るパソコン２は、図１に示した撮影部１１に代えて、文書作成部２０を備えている。他の構成要素については、図１に示した構成要素と同様である。
【００４０】
このようなパソコン２において、ユーザに入力部１４が操作されることにより、文書作成部２０の作用によって文書が作成されると、この文書データが制御部１６に出力される。また、同様に、ＩＤ読取部１２により、ユーザの所持品に内蔵されている無線ＩＣタグの識別情報が読み取られ、この識別情報が制御部１６に出力される。制御部１６は、識別情報と当該文書データとを関連付けて記憶部１５に格納する。
【００４１】
また、文書データの読出要求があった場合には、制御部１６は、ＩＤ読取部１２を作動させ、読出要求を出したユーザの所持品に内蔵されている無線ＩＣタグの識別情報を取得する。続いて、制御部１６は、取得した識別情報と、読出要求の対象とされる文書データに関連付けられている識別情報とが一致するか否かを判断し、一致した場合に、当該文書データの読み出しを許可する。更に、その後、文書データを表示部に表示する。一方、一致しなかった場合には、当該文書の読み出し権原を有していない他人からの読出要求であると判断し、当該文書データの読み出しを拒否する。
【００４２】
このようなパソコン２によれば、以下のような利用形態が可能である。
例えば、パソコン２を用いて、職場で文書を作成した場合には、職場で着用することが多いスーツ、アクセサリー、或いは、職場で携帯している身分証明書などに内蔵されている無線ＩＣタグの識別情報と文書データとが関連付けられて記憶部１５に格納されることとなる。
一方、自宅などで当該パソコン２を用いて文書を作成した場合には、自宅にて所持することが多い所持品に内蔵されている識別情報と文書データとが関連付けられて記憶部１５に格納されることとなる。
【００４３】
このように、例えば、職場と自宅とで異なる識別情報に関連付けられて文書データがそれぞれ記憶部１５に格納されることにより、職場と自宅とで使用する文書データを自動的に分類することが可能となる。また、職場で当該パソコン２を使用する場合には、自宅で作成した文書データ等が読み出しできない状態とされることにより、自宅での文書データを社内の人に見られるという状況を回避できる。このように、本発明の情報管理方法をパソコン２に適用した場合においても、上述のデジタルカメラ１と同様、十分なセキュリティレベルを確保するとともに、ユーザの手を煩わせることなく文書データの分類をすることができる。
【００４４】
以上、本発明の実施形態について図面を参照して詳述してきたが、具体的な構成はこの実施形態に限られるものではなく、本発明の要旨を逸脱しない範囲の設計変更等も含まれる。
【図面の簡単な説明】
【００４５】
【図１】本発明の一実施形態に係るデジタルカメラの概略構成を示す図である。
【図２】画像登録時において実行される画像登録処理について説明したフローチャートである。
【図３】記憶部に格納される情報の一例を示した図である。
【図４】画像の表示要求時において実行される画像表示処理について説明したフローチャートである。
【図５】本発明の一実施形態に係るラップトップパソコンの概略構成を示す図である。
【符号の説明】
【００４６】
１  デジタルカメラ
２  ラップトップパソコン
１１  撮影部
１２  ＩＤ読取部
１３  表示部
１４  入力部
１５  記憶部
１６  制御部
１８  バス
２０  文書作成部
【図１】
2008084107.tif 000003
【図２】
2008084107.tif 000004
【図３】
2008084107.tif 000005
【図４】
2008084107.tif 000006
【図５】
2008084107.tif 000007